(57)【要約】【課題】使用者の作業負担を増やすことなく、プロペラに対するゴミや浮遊物等の異物の付着を防止すること。【解決手段】水流によってプロペラ（１２ａ、１３ａ）を回転させることで、プロペラの回転エネルギーを電力に変換する流水発電装置（１）を、プロペラの少なくとも一部分を水面上に露出させ、プロペラの残りの部分を水面下に水没させるようにプロペラを支持する支持部（１１）を備える構成にし、プロペラのブレード（３５、４５）を空中から水中への突入と水中から空中へ脱出を交互に繰り返させてプロペラから異物（５４）を離れ易くした。【選択図】図１
2015151914.tif 000002
【特許請求の範囲】
【請求項１】
水流によってプロペラを回転させることで、前記プロペラの回転エネルギーを電力に変換する流水発電装置であって、
前記プロペラの少なくとも一部分を水面上に露出させ、前記プロペラの残りの部分を水面下に水没させるように前記プロペラを支持する支持部を備えたことを特徴とする流水発電装置。
【請求項２】
前記プロペラの複数枚のブレードには、当該各ブレードの回転方向の前側のエッジに接触した異物を、前記プロペラの中心から離れる方向に移動させるようにスキューが設けられることを特徴とする請求項１に記載の流水発電装置。
【請求項３】
前記支持部には、一対の前記プロペラが対向するように支持されており、水流によって一方の前記プロペラと他方の前記プロペラが逆回転することを特徴とする請求項１又は請求項２に記載の流水発電装置。
【請求項４】
前記支持部は、水面で浮遊するフロートを有し、当該フロートの浮力により前記プロペラの少なくとも一部分が水面上に露出することを特徴とする請求項１から請求項３のいずれかに記載の流水発電装置。
【請求項５】
前記フロートは、前記プロペラを挟んで対向する一対のフロート板であり、前記一対のフロート板の対向面の間隔が、前記一対のフロート板の先端から後端に向かって狭くなるように形成されていることを特徴とする請求項４に記載の流水発電装置。
【発明の詳細な説明】
【技術分野】
【０００１】
本発明は、河川や用水路等の比較的低速な水流からエネルギーを取り出す流水発電装置に関する。
【背景技術】
【０００２】
従来、この種の流水発電装置として、河川の水流によってプロペラを回転させることで、水流からエネルギーを取り出す流水発電装置が知られている（例えば、特許文献１参照）。特許文献１に記載の流水発電装置は、河川に係留されたフロートの浮力により浮遊しており、フロートの下部に設けたプロペラを常時水面下に位置付けている。河川の水流によってプロペラが回転されると、このプロペラの回転が発電機まで伝達されて電気的エネルギーとして取り出される。また、プロペラの前方にはメッシュ状の防護カバーが配置され、防護カバーによって水流内の異物がプロペラ側に侵入することが防止されている。
【先行技術文献】
【特許文献】
【０００３】
【特許文献１】特開２０１３−１１７２２２号公報
【発明の概要】
【発明が解決しようとする課題】
【０００４】
一般に河川や用水路等に設置される流水発電装置においては、水流によって運ばれるゴミや浮遊物がプロペラに付着すると、発電能力の低下、作動不良、損傷等の不具合が発生という問題がある。上記した特許文献１に記載の流水発電装置では、プロペラの前方に配置された防護カバーで、ゴミや浮遊物がプロペラに付着することが防止されるが、メッシュ状の網目にゴミや浮遊物が詰まることでプロペラに向かう水流が妨げられてしまう。このため、定期的に防護カバーを交換しなければならず、使用者にとって手間がかかり、作業負担が多くなっていた。
【０００５】
本発明はかかる点に鑑みてなされたものであり、使用者の作業負担を増やすことなく、プロペラに対するゴミや浮遊物等の異物の付着を防止することができる流水発電装置を提供することを目的とする。
【課題を解決するための手段】
【０００６】
本発明の流水発電装置は、水流によってプロペラを回転させることで、前記プロペラの回転エネルギーを電力に変換する流水発電装置であって、前記プロペラの少なくとも一部分を水面上に露出させ、前記プロペラの残りの部分を水面下に水没させるように前記プロペラを支持する支持部を備えたことを特徴とする。
【０００７】
この構成によれば、プロペラが回転することによって、空中から水中へのブレードの突入と水中から空中へのブレードの脱出が交互に繰り返される。ブレードが水中にあるときには、ブレードにゴミや浮遊物等の異物が付着しても、異物の重さによってブレードのエッジを滑って異物がプロペラから離れ易くなる。また、ブレードが水面から出るときには、ブレードに付着した異物だけが水中に引き止められて、ブレードから異物が離れ易くなる。また、ブレードが空中にあるときには、異物に重力が働いてブレードから水面に落下し易くなる。また、空中には異物が存在しないため、ブレードに新たな異物が付着することがない。また、ブレードが水面に突入するときには、水面の抵抗によってブレードに付着した異物が離れ易くなる。さらに、プロペラが１回転する間にブレードが水面から脱出して水面に再び突入することで、異物に振動が加わってブレードから異物が離れ易くなる。このように、プロペラ全体が水没する構成と比較して、プロペラから異物が離れ易くなり、異物の付着に起因した発電能力の低下、作動不良、損傷等の不具合が防止される。さらに、プロペラから自動的に異物が離れるため、作業者の作業負担が増えることもない。
【０００８】
また本発明の上記流水発電装置において、前記プロペラの複数枚のブレードには、当該各ブレードの回転方向の前側のエッジに接触した異物を、前記プロペラの中心から離れる方向に移動させるようにスキューが設けられる。この構成によれば、ブレードの前側のエッジに接触した異物が、プロペラから離れる方向に移動されるため、プロペラに異物が引っ掛かり難くなる。
【０００９】
また本発明の上記流水発電装置において、前記支持部には、一対の前記プロペラが対向するように支持されており、水流によって一方の前記プロペラと他方の前記プロペラが逆回転する。この構成によれば、一方のプロペラの少なくとも一部分が空中に露出することで生じる発電能力の低下分が他方のプロペラで回収され、装置全体として発電能力の低下を抑えることができる。
【００１０】
また本発明の上記流水発電装置において、前記支持部は、水面で浮遊するフロートを有し、当該フロートの浮力により前記プロペラの少なくとも一部分が水面上に露出する。この構成によれば、水面から底までの深さに関わらず、簡易な構成でプロペラの少なくとも一部分を水面上に露出させることができる。
【００１１】
また本発明の上記流水発電装置において、前記フロートは、前記プロペラを挟んで対向する一対のフロート板であり、前記一対のフロート板の対向面の間隔が、前記一対のフロート板の先端から後端に向かって狭くなるように形成されている。この構成によれば、一対のフロート板の対向面でプロペラに向かう水流を速めて、流水発電装置の発電能力を向上させることができる。
【発明の効果】
【００１２】
本発明によれば、プロペラの少なくとも一部分を水面上に露出させ、プロペラの残りの部分を水面下に水没させたことで、プロペラから異物が離れ易くなり、異物の付着に起因した発電能力の低下、作動不良、損傷等の不具合を防止できる。さらに、プロペラから自動的に異物が離れるため、作業者の作業負担が増えることもない。
【図面の簡単な説明】
【００１３】
【図１】本実施の形態に係る流水発電装置の斜視図である。
【図２】本実施の形態に係る流水発電装置の正面図及び側面図である。
【図３】本実施の形態に係るプロペラの動作遷移図である。
【図４】本実施の形態に係るプロペラに接触した異物の動きを示す図である。
【図５】本実施の形態の他の一例に係るプロペラに接触した異物の動きを示す図である。
【図６】本実施の形態に係る流水発電装置の動作説明図である。
【発明を実施するための形態】
【００１４】
以下、添付図面を参照して本実施の形態に係る流水発電装置について説明する。図１は、本実施の形態に係る流水発電装置の斜視図である。図２は、本実施の形態に係る流水発電装置の正面図及び側面図である。なお、以下の説明では、前後一対のプロペラ式発電ユニットを備えた流水発電装置について説明するが、単一のプロペラ式発電ユニットを備えた流水発電装置でもよい。
【００１５】
図１及び図２に示す流水発電装置１は、河川の水流を利用した小水力発電装置であり、前後一対のプロペラ式発電ユニット１２、１３によって水流からエネルギーを取り出すように構成されている。流水発電装置１は、プロペラ式発電ユニット１２、１３を左右一対のフロート板２１付きの支持部１１に支持させて、一対のフロート板２１の浮力によってプロペラ１２ａ、１３ａの上半部を水面４９上に露出させている。一対のフロート板２１は、樹脂性の中空フロートであり、プロペラ１２ａ、１３ａの左右両側方、すなわちプロペラ１２ａ、１３ａの回転軸方向に沿って、直立姿勢で平行に配置されている。一対のフロート板２１は、左右対称に形成されており、流水発電装置１に対して左右均等に浮力を生じさせている。
【００１６】
また、一対のフロート板２１は、前後方向に長く形成されており、下半部を水没させた状態で水面４９に浮いている。この一対のフロート板２１の水没した下半部によって、プロペラ１２ａ、１３ａに水流を導く水路が形成される。一対のフロート板２１の先端部にはアンカー２２が設けられ、アンカー２２にロープ２３を繋ぐことで流水発電装置１が川岸等に係留されている。一対のフロート板２１の上部は連結板２４で連結されており、連結板２４の下面には前後一対のプロペラ式発電ユニット１２、１３が固定されている。また、一対のフロート板２１の上部には、連結板２４の上方を覆うようにアーチ状の屋根２５が取り付けられている。
【００１７】
プロペラ式発電ユニット１２、１３の円筒状のケース１２ｄ、１３ｄは前後方向に延在しており、ユニット個別の吊り下げステー１２ｅ、１３ｅを介して連結板２４の下面に連結されている。ケース１２ｄの前端には、上流側で水流を受けるプロペラ１２ａが回転可能に支持されており、ケース１３ｄの後端には、下流側で水流を受けるプロペラ１３ａが回転可能に支持されている。ケース１２ｄ、１３ｄ内には、回転軸方向に延在するシャフト１２ｂ、１３ｂが収容されている。プロペラ１２ａ、１３ａは、このシャフト１２ｂ、１３ｂを通じて、ケース１２ｄ、１３ｄ内に収容された発電機１２ｃ、１３ｃに連結されている。
【００１８】
プロペラ１２ａ、１３ａは、シャフト１２ｂ、１３ｂに固定されたプロペラボス３４、４４の外周面に複数枚のブレード３５、４５を設けて構成される。また、プロペラ１２ａ、１３ａのプロペラボス３４、４４からはシャフト１２ｂ、１３ｂの先端部分が突出しており、この先端部分にはプロペラキャップ１２ｆ、１３ｆが取り付けられている。なお、詳細は後述するが、前側のプロペラ１２ａと後側のプロペラ１３ａは、互いに表裏反転した状態でシャフト１２ｂ、１３ｂに取り付けられている。
【００１９】
このように構成された流水発電装置１が河川に浮かべられると、水流によって前後一対のプロペラ１２ａ、１３ａが回転して、プロペラ式発電ユニット１２、１３のシャフト１２ｂ、１３ｂを介して発電機１２ｃ、１３ｃに回転エネルギーが伝達される。発電機１２ｃ、１３ｃでは、プロペラ１２ａ、１３ａの回転エネルギーが電力に変換されて不図示の二次電池に充電される。これにより、流水発電装置１は、比較的流れの緩やかな河川の水流からエネルギーを取り出すことを可能にしている。ところで、河川ではゴミや浮遊物等の異物も運ばれてくるため、これら異物がプロペラ１２ａ、１３ａに付着すると、流水発電装置１の発電能力の低下や作動不良等の原因となる。
【００２０】
このため、本実施の形態の流水発電装置１では、一対のフロート板２１の浮力によって、プロペラ１２ａ、１３ａの上半部を水面４９上に露出させ、プロペラ１２ａ、１３ａの下半部を水面４９下に水没させることで、プロペラ１２ａ、１３ａから異物を自動的に離脱させるようにしている。さらに、プロペラ１２ａ、１３ａのブレード３５、４５として、スキュー付きのブレードを用いることで、プロペラ１２ａ、１３ａに異物を引っかかり難くしている。以下、図３から図５を参照して、プロペラ１２ａ、１３ａから異物を離脱させる構造について詳細に説明する。
【００２１】
図３は、本実施の形態に係るプロペラの動作遷移図である。図４は、本実施の形態に係るプロペラに接触した異物の動きを示す図である。図５は、本実施の形態の他の一例に係るプロペラに接触した異物の動きを示す図である。なお、図３から図５においては、前側のプロペラを例示して説明するが、後側のプロペラも同様の構成である。
【００２２】
図３Ａに示すように、プロペラ１２ａのブレード３５が水中にあるときには、木の枝等の比較的重い異物５４がブレード３５に付着し難くなっている。すなわち、異物５４には下向きに重力が作用するため、異物５４がブレード３５のエッジ３６に接しても、異物５４がブレード３５のエッジ３６を滑ってプロペラ１２ａの中心から離れる方向に移動する。このように、比較的重い異物５４がブレード３５に接しても、水中でブレード３５から異物５４が離れやすくなっている。一方で、比較的軽い異物５４がブレード３５に接した場合には、ブレード３５から異物５４が離れ難く、異物５４を付着させたままブレード３５が移動する。
【００２３】
図３Ｂに示すように、プロペラ１２ａのブレード３５が水中から空中に脱出するときには、異物５４に水がまとわり付くことで、異物５４が水面４９から出ることが阻害される。すなわち、異物５４に付着した水によって質量が増加し、水面４９付近で異物５４を水中に引き止める力が大きくなる。異物５４だけが水面４９付近で引き止められることで、ブレード３５から異物５４が引き離される。このように、水中でブレード３５に異物５４が付着していても、水面４９から異物５４が出る瞬間にブレード３５から異物５４が離れ易くなっている。特に、プロペラ１２ａが高速で回転している場合に異物５４が離れ易い。
【００２４】
図３Ｃに示すように、プロペラ１２ａのブレード３５が空中にあるときには、異物５４に作用する重力によって、異物５４が水面４９に落下し易くなっている。また、ブレード３５が水中を移動する場合と異なり、ブレード３５が空中を移動する場合にはブレード３５に新たな異物５４が付着することがない。異物５４が一定の割合で水中を流れるとした場合には、空中では異物５４に遭遇しないため、プロペラ１２ａが完全に水没している場合と比較して異物５４との遭遇率が半分になる。このように、ブレード３５が空中を移動することで、ブレード３５から異物５４が離れ易く、さらにブレード３５に対する新たな異物５４の付着が防止される。
【００２５】
図３Ｄに示すように、プロペラ１２ａのブレード３５が空中から水中に突入するときには、水面４９の抵抗を異物５４が受けることで、水中に異物５４が入ることが阻害される。すなわち、異物５４が水面４９に衝突することによって、異物５４に加わる衝撃によってブレード３５から異物５４が引き離される。このように、空中でブレード３５に異物５４が付着していても、水面４９に異物５４が衝突する瞬間にブレード３５から異物５４が離れ易くなっている。さらに、プロペラ１２ａが回転している間に、図３Ａから図３Ｄの動作が繰り返し実施されることで、異物５４に振動が加わってブレード３５から異物５４が離れ易くなっている。
【００２６】
さらに、図４Ａに示す本実施の形態に係るプロペラ１２ａのブレード３５では、回転方向の前側のエッジ３６に設けられたスキューにより、水中でも異物５４が付着し難くなっている。スキューは、前側のエッジ３６に接触した異物５４を、プロペラ１２ａの中心から離れる方向に移動させるように形成されている。例えば、図４Ｂに示すエッジ３６の位置ＰＡでは、エッジ３６の移動によって形成された水の流れにより、異物５４がベクトルＶＡの力を受ける。ベクトルＶＡのエッジ３６の接線方向の分力ＦＡがプロペラ１２ａの外側を向くため、異物５４はエッジ３６に沿ってプロペラ１２ａから離れる方向に移動する。
【００２７】
図４Ｃに示すエッジ３６の位置ＰＢでは、エッジ３６の移動によって形成された水の流れにより、異物５４がベクトルＶＢの力を受ける。ベクトルＶＢのエッジ３６の接線方向の分力ＦＢがプロペラ１２ａの外側を向くため、異物５４はエッジ３６に沿ってプロペラ１２ａから離れる方向に移動する。同様に、図４Ｄに示すエッジ３６の位置ＰＣでは、エッジ３６の移動によって形成された水の流れにより、異物５４がベクトルＶＣの力を受ける。ベクトルＶＣのエッジ３６の接線方向の分力ＦＣがプロペラ１２ａの外側を向くため、異物５４はエッジ３６に沿ってプロペラ１２ａから離れる方向に移動する。
【００２８】
このように、本実施の形態に係るスキュー付きのブレード３５では、エッジ３６のどの位置に異物５４が接触しても、プロペラ１２ａから逃げる方向に異物５４が動き易くなっている。特に、重力が小さな水中を浮遊している異物５４でも、ブレード３５のエッジ３６に接触した異物５４が、プロペラ１２ａの回転による流れを受けてエッジ３６の傾きに沿ってプロペラ１２ａの外側に向けて導かれる。よって、水中であっても、ブレード３５から異物５４が離れ易くなっている。
【００２９】
これに対して、図５Ａに示す本実施の形態の他の一例に係るプロペラ５１のブレード５２では、回転方向の前側のエッジ５３が凸状に形成されている。本実施の形態の他の一例に係るブレード５２では、エッジ５３に形成された凸形状によって、異物５４が接触するエッジ５３の位置によっては異物５４がブレード５２から離れ難くなっている。例えば、図５Ｂに示すエッジ５３の位置ＰＡでは、エッジ５３の移動によって形成された水の流れにより、異物５４がベクトルＶＡの力を受ける。ベクトルＶＡのエッジ５３の接線方向の分力ＦＡがプロペラ５１の外側を向くため、異物５４はエッジ５３に沿ってプロペラ５１から離れる方向に移動する。
【００３０】
しかしながら、図５Ｃに示すエッジ５３の位置ＰＢでは、エッジ５３の移動によって形成された水の流れにより、異物５４がベクトルＶＢの力を受ける。ベクトルＶＢは、エッジ５３の接線方向の分力を有さないため、異物５４はエッジ５３の位置ＰＢから移動することがない。また、図５Ｄに示すエッジ５３の位置ＰＣでは、エッジ５３の移動によって形成された水の流れにより、異物５４がベクトルＶＣの力を受ける。ベクトルＶＣのエッジ５３の接線方向の分力ＦＣがプロペラ５１の内側を向くため、異物５４はエッジ５３に沿ってプロペラ５１の中心に向かって移動する。
【００３１】
このように、本実施の形態の他の一例に係るブレード５２では、エッジ５３の位置ＰＢを境に異物５４の移動する方向が変化する。すなわち、位置ＰＢよりもプロペラ５１の外側では、ブレード５２のエッジ５３に接触した異物５４がプロペラ５１から逃げる方向に動き易くなっている。位置ＰＢよりもプロペラ５１の内側では、ブレード５２のエッジ５３に接触した異物５４がプロペラ５１に向かう方向に動き易くなり、ブレード５２に異物５４が付着し易くなっている。よって、ブレード５２に付着した異物５４が流水発電装置の発電能力の低下や作動不良等の原因になる。
【００３２】
なお、本実施の形態の他の一例に係るプロペラ５１では、スキューを設けていない分だけ本実施の形態に係るプロペラ１２ａよりも異物５４の付着防止効果が劣るが、プロペラが完全に水面４９下に位置付けられる構成と比較して異物５４の付着効果を得ることは可能である。
【００３３】
ここで、図６を参照して、本実施の形態に係る流水発電装置の動作について簡単に説明する。図６は、本実施の形態に係る流水発電装置の動作説明図である。なお、図６は、一対のフロート板からアーチ状の屋根を取り外した状態を示している。
【００３４】
図６に示すように、流水発電装置１は、プロペラ１２ａ、１３ａを半没水にしたため、各プロペラ１２ａ、１３ａが水流から得られる回転エネルギーが、プロペラ１２ａ、１３ａを完没水にした構成よりも少ない。このため、本実施の形態に係る流水発電装置１では、一対のプロペラ１２ａ、１３ａを前後方向に対向させて配置し、前側のプロペラ１２ａで生じる発電能力の低下分を後側のプロペラ１３ａで回収するようにしている。前側のプロペラ１２ａ及び後側のプロペラ１３ａは水流を受けることで互いに逆向きに回転するように、表裏反転した状態でシャフト１２ｂ、１３ｂ（図２参照）に対して取り付けられている。
【００３５】
また、一対のフロート板２１は、水流をプロペラ１２ａ、１３ａに導くようにプロペラ１２ａ、１３ａを挟んで対向している。一対のフロート板２１の対向面２９の間隔は、フロート板２１の先端から後端に向かって狭くなるように形成されている。これにより、一対のフロート板２１の対向面２９を狭めることでプロペラ１２ａ、１３ａに向かう水流を速めて、流水発電装置１の発電能力を向上させている。一対のフロート板２１の先端側から入った水流は、一対のフロート板２１によって加速されて前側のプロペラ１２ａを回転させる。前側のプロペラ１２ａの回転エネルギーは発電機１２ｃ（図２参照）に伝達され、発電機１２ｃにおいて電気的エネルギーに変換される。
【００３６】
前側のプロペラ１２ａの後方には、前側のプロペラ１２ａの回転によって回転流が形成され、回転流によって後側のプロペラ１３ａが逆向きに回転される。後側のプロペラ１３ａの回転エネルギーは発電機１３ｃに伝達され、発電機１３ｃにおいて電気的エネルギーに変換される。後側のプロペラ１３ａでは、前側のプロペラ１２ａで形成される回転流中のエネルギーを回収して、流水発電装置１の発電効率を向上させている。
【００３７】
以上のように、本実施の形態に係る流水発電装置１は、プロペラ１２ａ、１３ａが回転することによって、空中から水中へのブレード３５、４５の突入と水中から空中へのブレード３５、４５の脱出が交互に繰り返される。ブレード３５、４５が水中にあるときには、ブレード３５、４５に異物５４が付着しても、異物５４の重さによってブレード３５、４５のエッジ３６、４６を滑って異物５４がプロペラ１２ａ、１３ａから離れ易くなる。また、ブレード３５、４５が水面４９から出るときには、ブレード３５、４５に付着した異物５４だけが水中に引き止められて、ブレード３５、４５から異物５４が離れ易くなる。また、ブレード３５、４５が空中にあるときには、異物５４に重力が働いてブレード３５、４５から水面４９に落下し易くなる。また、空中には異物５４が存在しないため、ブレード３５、４５に新たな異物５４が付着することがない。また、ブレード３５、４５が水面４９に突入するときには、水面４９の抵抗によってブレード３５、４５に付着した異物５４が離れ易くなる。さらに、プロペラ１２ａ、１３ａの１回転する間にブレード３５、４５が水面４９から脱出して水面４９に再び突入することで、異物に振動が加わってブレード３５、４５から異物５４が離れ易くなる。このように、プロペラ１２ａ、１３ａ全体が水没する構成と比較して、プロペラ１２ａ、１３ａから異物５４が離れ易くなり、異物５４の付着に起因した発電能力の低下、作動不良、損傷等の不具合が防止される。さらに、プロペラ１２ａ、１３ａから自動的に異物５４が離れるため、作業者の作業負担が増えることもない。
【００３８】
なお、本発明は上記各実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３９】
例えば、本実施の形態では、前後一対のプロペラを有する流水発電装置を例示したが、この構成に限定されない。流水発電装置は、単一のプロペラを有していてもよいし、さらに３つ以上のプロペラを有する構成でもよい。
【００４０】
また、本実施の形態では、プロペラの上半部を水面上に露出させ、プロペラの下半部を水面下に水没させる構成としたが、この構成に限定されない。プロペラの少なくとも一部分を水面上に露出させ、プロペラの残りの部分を水面下に水没させる構成であればよい。この構成であっても、プロペラの水面上に露出した一部分において、空中と水中を交互に移動してプロペラから異物が離れ易くなる。
【００４１】
また、本実施の形態では、フロートの浮力によってプロペラの上半部が水面上に露出する構成としたが、この構成に限定されない。プロペラの少なくとも一部分が水面上に露出する構成であればよく、例えば、川底や川岸に設置した支持フレーム等でプロペラが支えられる構成でもよい。
【００４２】
また、本実施の形態では、フロートとして一対のフロート板を例示したが、この構成に限定されない。フロートは、水面に浮遊可能な構成であればよく、例えば、プロペラの回転軸回りの周壁を有する筒状に形成されてもよい。この場合、筒状のフロートの内径を小さくすることで流速を速めることができる。
【００４３】
また、本実施の形態では、プロペラのブレードにスキューが設けられる構成について説明したが、この構成に限定されない。スキューが設けられていないブレードであっても、例えば、図５に示すようにプロペラの上半部を水面上に露出させることで、プロペラに対する異物の付着を防止できる。
【００４４】
また、本実施の形態では、流水発電装置が河川や用水路等に設置される構成としたが、この構成に限定されない。流水発電装置は、水の流れが生じる場所に設置されればよく、海、下水、工場の排水路等に設置されてもよい。
【産業上の利用可能性】
【００４５】
以上説明したように、本発明は、使用者の作業負担を増やすことなく、プロペラに対するゴミや浮遊物等の異物の付着を防止できるという効果を有し、特に、河川や用水路等に設置される流水発電装置に有用である。
【符号の説明】
【００４６】
１  流水発電装置
１１  支持部
１２ａ、１３ａ  プロペラ
１２ｃ、１３ｃ  発電機
２１  フロート板
２９  対向面
３５、４５  ブレード
３６  エッジ
４９  水面
５４  異物
【図１】
2015151914.tif 000003
【図２】
2015151914.tif 000004
【図３】
2015151914.tif 000005
【図４】
2015151914.tif 000006
【図５】
2015151914.tif 000007
【図６】
2015151914.tif 000008